(57)【要約】【課題】  ケース全体の剛性を確保し、且つ防水性をも確保できるようにする。【解決手段】  表示モジュール４を収納する上下一対のケース１３、１４間にその縁部に沿って連続する防水パッキン部１５を設けると共に、上下一対のケース１３、１４の各外周部にそれぞれ金属製の上下一対のプロテクタ２０、２１を配置し、この上下一対のプロテクタ２０、２１をねじ止め部材２２によってねじ止めして、上下一対のプロテクタ２０、２１で上下一対のケース１３、１４を挟み付けた。従って、金属製の上下一対のプロテクタ２０、２１によって表示ケース１全体の剛性を確保することができる。また、上下一対のケース１３、１４間に防水パッキン部１５を設けても、上下一対のプロテクタ２０、２１によって上下一対のケース１３、１４を挟み付けているので、上下一対のケース１３、１４間に隙間が生じるのを防ぐことができ、これにより防水性を確保することができる。【選択図】        図３
2005340683.tif 000002
【特許請求の範囲】
【請求項１】
モジュールを収納する上下一対のケースと、
この上下一対のケース間にその各周縁部に沿って連続して設けられた防水パッキン部と、
前記上下一対のケースの各外周部にそれぞれ配置された金属製の上下一対のプロテクタと、
この上下一対のプロテクタ同士をねじ止めして前記上下一対のプロテクタで前記上下一対のケースを挟み付けるねじ止め部材と
を備えたことを特徴とする携帯型電子機器のケース構造。
【請求項２】
前記ねじ止め部材は、前記防水パッキン部よりも前記上下一対のケースの外部側に位置していることを特徴とする請求項１に記載の携帯型電子機器のケース構造。
【請求項３】
前記モジュールは、緩衝部材によって保持されて前記上下一対のケース内に浮いた状態で配置されていることを特徴とする請求項１または２に記載の携帯型電子機器のケース構造。
【発明の詳細な説明】
【技術分野】
【０００１】
この発明は、携帯電話機やＰＤＡ（パーソナル・デジタル・アシスタント）などの携帯型電子機器のケース構造に関する。
【背景技術】
【０００２】
従来、携帯電話機においては、特許文献１に開示されているように、合成樹脂製の上ケースと合成樹脂製の下ケースとを備え、これら上ケースと下ケースとの内部に回路基板などの各種の電子部品を有するモジュールを収納するように構成したものがある。
【特許文献１】実開平５−５３３３４号公報
【０００３】
このような携帯電話機のケース構造は、下ケースの端部に設けられたねじ挿入孔からねじを挿入し、この挿入されたねじをモジュールの回路基板に設けられたねじ挿入孔を通して、上ケースの端部に埋設されたナットに螺着することにより、上ケースと下ケースとの端部同士を固定している。また、上ケースと下ケースとの中間部分は、モジュールの回路基板に金属製のシールドケースを固定し、このシールドケースに、上ケースの中間部に係合する連結板を一体に形成し、この連結板のねじ孔に下ケースのねじ挿入孔から挿入されたねじを螺着することにより、上ケースと下ケースとの中間部分を固定している。
【発明の開示】
【発明が解決しようとする課題】
【０００４】
しかしながら、このような従来の携帯電話機のケース構造では、上ケースと下ケースとが合成樹脂製であっても、金属製のシールドケースによって、ケース全体の剛性を確保することはできるが、上ケースと下ケースとが合成樹脂製であるから、防水性を確保するために、上ケースと下ケースとの間に防水パッキンを配置すると、ねじ止めされた部分から離れた個所で、防水パッキンの反発力によって上ケースと下ケースとの間に隙間が生じ、十分な防水性が得られないという問題がある。
【０００５】
この発明が解決しようとする課題は、ケース全体の剛性を確保し、且つ防水性をも確保することができる携帯型電子機器のケース構造を提供することである。
【課題を解決するための手段】
【０００６】
この発明は、上記課題を解決するために、次のような構成要素を備えている。
なお、各構成要素には、後述する実施形態の項で説明される各要素に付されている図面の参照番号などを括弧と共に付す。
【０００７】
請求項１に記載の発明は、図１〜図４に示すように、モジュール（表示モジュール４）を収納する上下一対のケース（上ケース１３と下ケース１４）と、この上下一対のケース間にその各周縁部に沿って連続して設けられた防水パッキン部（１５）と、前記上下一対のケースの各外周部にそれぞれ配置された金属製の上下一対のプロテクタ（上側プロテクタ２０と下側プロテクタ２１）と、この上下一対のプロテクタ同士をねじ止めして前記上下一対のプロテクタで前記上下一対のケースを挟み付けるねじ止め部材（２２）とを備えたことを特徴とする携帯型電子機器のケース構造である。
【０００８】
請求項２に記載の発明は、図２および図３に示すように、前記ねじ止め部材（２２）が前記防水パッキン部（１５）よりも前記上下一対のケース（上ケース１３と下ケース１４）の外部側に位置していることを特徴とする請求項１に記載の携帯型電子機器のケース構造である。
【０００９】
請求項３に記載の発明は、図３および図４に示すように、前記モジュール（表示モジュール４）が、緩衝部材（２５）によって保持されて前記上下一対のケース（上ケース１３と下ケース１４）内に浮いた状態で配置されていることを特徴とする請求項１または２に記載の携帯型電子機器のケース構造である。
【発明の効果】
【００１０】
請求項１に記載の発明によれば、モジュールを収納する上下一対のケース間に防水パッキン部を各ケースの周縁部に沿って連続させて設けると共に、上下一対のケースの各外周部にそれぞれ金属製の上下一対のプロテクタを配置し、この状態で上下一対のプロテクタ同士をねじ止め部材によってねじ止めして、上下一対のプロテクタで上下一対のケースを挟み付けているので、金属製の上下一対のプロテクタによってケース全体の剛性を確保することができると共に、上下一対のケース間に防水パッキン部を設けても、金属製の上下一対のプロテクタで上下一対のケースを挟み付けていることにより、ねじ止め部材から離れた部分においても、上下一対のケース間に隙間が生じるのを防ぐことができ、これにより防水性を確保することができる。
【００１１】
請求項２に記載の発明によれば、ねじ止め部材が防水パッキン部よりも各ケースの外部側に位置していることにより、ねじ止め部材でねじ止めされた部分を防水構造にしなくても、ケース全体の防水性を確保することができ、これにより防水構造の簡素化および組み立て作業の簡素化を図ることができる。
【００１２】
請求項３に記載の発明によれば、モジュールが緩衝部材によって保持されて上下一対のケース内に浮いた状態で配置されていることより、落下などによる衝撃が上下一対のプロテクタおよび上下一対のケースに加わっても、その衝撃を緩衝部材によって吸収して上下一対のケース内のモジュールに伝わらないようにすることができる。これにより、外部からの衝撃によってモジュールが破損せず、確実にモジュールを保護することができるので、耐衝撃性の高いものを得ることができる。
【発明を実施するための最良の形態】
【００１３】
以下、図１〜図４を参照して、この発明を携帯電話機に適用した実施形態について説明する。この場合、図１はこの発明を適用した携帯電話機の斜視図、図２は図１の携帯電話機の表示ケースを示した分解斜視図、図３は図１のＡ−Ａ矢視における拡大断面図、図４は図１のＢ−Ｂ矢視における拡大断面図である。
この携帯電話機は、図１に示すように、表示ケース１と入力ケース２とをヒンジ部３によって回動可能に連結し、このヒンジ部３を中心に表示ケース１と入力ケース２とを回動させて互いに重ね合わせて閉じた状態で携帯し、またヒンジ部３を中心に表示ケース１と入力ケース２とを回動させて開いた状態で使用するように構成されている。
【００１４】
この場合、表示ケース１は、図１に示すように、ほぼ長方形の薄い箱形に形成され、図２〜図４に示すように、その内部に表示モジュール４が収納された構成になっている。この表示モジュール４は、回路基板５を有し、この回路基板５に表示装置６およびスピーカ７のほか、各種の電子部品８が設けられた構成になっている。表示装置６は、液晶表示素子やＥＬ（エレクトロルミネッセンス）表示素子などの平面型の表示素子からなり、図１に示すように、入力ケース２に対向する表示ケース１の開口部１ａに対応して配置され、この状態で電話情報などの各種の情報を電気光学的に表示するように構成されている。
【００１５】
入力ケース２は、図１に示すように、表示ケース１とほぼ同じサイズの箱形に形成され、その内部に入力モジュール（図示せず）が収納され、この状態でヒンジ部３を中心に回動させて閉じたときに、表示ケース１と重なり合うように構成されている。この場合、表示ケース１に対向する入力ケース２の対向面には、図１に示すように、キー入力部９およびマイク部（図示せず）が設けられている。このキー入力部９は、数字キー、文字キー、通話キー、電源キー、多機能キーなどの各種のキーを備えている。
【００１６】
ヒンジ部３は、図１に示すように、表示ケース１の手前側の基端部（図１では下辺部）に設けられた円筒状の第１凸部１０と、入力ケース２の前方の基端部（図１では上辺部）における両側に設けられた一対の第２凸部１１と、これら第１、第２凸部１０、１１を回転可能に取り付ける連結軸（図示せず）とを備え、表示ケース１の第１凸部１０を入力ケース２の一対の第２凸部１１間に配置し、この状態で第１凸部１０と第２凸部１１とを連結軸でそれぞれ回転可能に取り付けることにより、この連結軸を中心に第１、第２凸部１０、１１が相対的に回転するように構成されている。
【００１７】
ところで、表示ケース１と入力ケース２とは、その内部にそれぞれ収納された表示モジュール４と入力モジュール（図示せず）とが、ヒンジ部３内を挿通する接続部材（図示せず）によって電気的に接続されている。また、表示ケース１と入力ケース２とは、ほぼ同じ構造になっている。このため、以下では、表示ケース１について説明する。
【００１８】
この表示ケース１は、図２に示すように、上ケース１３と下ケース１４とを備えている。この上ケース１３と下ケース１４とは、それぞれ合成樹脂からなり、互いに重なり合って接合されることにより、その内部に表示モジュール４を収納するように構成されている。この上ケース１３と下ケース１４との間には、防水パッキン部１５が設けられている。
【００１９】
この防水パッキン部１５は、図２〜図４に示すように、上ケース１３と下ケース１４とが互いに対向する各縁部のうち、上ケース１３の縁部に沿って連続して設けられた枠状の嵌合溝１６と、下ケース１４の縁部に沿って連続して設けられた枠状の嵌合凸部１７とを備え、上ケース１３の嵌合溝１６に下ケース１４の嵌合凸部１７が嵌合するように構成されている。この場合、防水パッキン部１５は、上ケース１３の嵌合溝１６内に配置されて下ケース１４の嵌合凸部１７によって押圧される防水リング１８を備えていることが望ましい。
【００２０】
また、上ケース１３の上面における外周部には、図１〜図４に示すように、金属製の上側プロテクタ２０が配置されており、下ケース１４の下面における外周部にも、金属製の下側プロテクタ２１が配置されている。この上側プロテクタ２０と下側プロテクタ２１とは、チタン、マグネシウムなどの合金からなる軽量で硬質の金属でほぼ枠状に形成されている。また、上側プロテクタ２０と下側プロテクタ２１とは、ねじ止め部材２２によって上ケース１３と下ケース１４とを挟み付けてねじ止めされている。
【００２１】
すなわち、このねじ止め部材２２は、図２および図３に示すように、ねじ２３とナット２４とを備えている。ねじ２３は、図２および図３に示すように、上側プロテクタ２０の四隅に設けられたねじ挿通孔２０ａから挿入され、上ケース１３の四隅に設けられたねじ挿通孔１３ａ、および下ケース１４の四隅に設けられたねじ挿通孔１４ａを通して、下側プロテクタ２１の四隅に設けられたねじ挿通孔２１ａに挿入され、この挿入されたねじ２３の先端がナット２４に螺着するように構成されている。
【００２２】
これにより、ねじ止め部材２２は、図３に示すように、上側プロテクタ２０と下側プロテクタ２１とをねじ止めすることにより、上ケース１３と下ケース１４とを上側プロテクタ２０と下側プロテクタ２１とで挟み付けるように構成されている。この場合、ねじ止め部材２２は、図２および図３に示すように、防水パッキン部１５よりも上ケース１３と下ケース１４との各外部側に位置して設けられている。
【００２３】
すなわち、防水パッキン部１５は、図２に示すように、上ケース１３と下ケース１４との各四隅において、それぞれ内側に向けて湾曲して設けられている。これにより、上ケース１３と下ケース１４との各四隅の各ねじ挿通孔１３ａ、１４ａは、それぞれ湾曲した防水パッキン部１５の外側に位置して設けられている。
【００２４】
一方、表示モジュール４は、図３に示すように、緩衝部材２５によって上ケース１３と下ケース１４との内部に配置されている。すなわち、この緩衝部材２５は、ゴムなどの弾性材料からなり、表示モジュール４の回路基板１１の四隅にそれぞれ取り付けられ、この状態で緩衝部材２５の上下の各端部がそれぞれ上ケース１３と下ケース１４との各内面に弾接し、これにより表示モジュール４を上ケース１３と下ケース１４との内部に浮いた状態で弾力的に保持するように構成されている。
【００２５】
このような携帯電話機のケース構造では、表示モジュール４を収納する上下の各ケース１３、１４の間に防水パッキン部１５を各ケース１３、１４の各周縁部に沿って連続させて設けると共に、上下の各ケース１３、１４の各外周部にそれぞれ上側プロテクタ２０と下側プロテクタ２１を配置し、この状態で上側プロテクタ２０と下側プロテクタ２１とをねじ止め部材２２によってねじ止めして共締めすることにより、上側プロテクタ２０と下側プロテクタ２１とで上下の各ケース１３、１４を挟み付けているので、表示ケース１全体の剛性を確保することができる。
【００２６】
この場合、上側プロテクタ２０と下側プロテクタ２１とは、それぞれチタン、マグネシウムなどの合金からなる軽量で硬質の金属で形成されているので、表示ケース１全体の剛性を高めることができる。また、上側プロテクタ２０と下側プロテクタ２１とがねじ止め部材２２によってねじ止めされて上ケース１３と下ケース１４とを挟み付けているので、上下の各ケース１３、１４間に設けられた防水パッキン部１５により、防水性を確保することができる。
【００２７】
特に、上側プロテクタ２０と下側プロテクタ２１とで上ケース１３と下ケース１４とが挟み付けているため、ねじ止め部材２２から離れた部分においても、上ケース１３と下ケース１４との間に隙間が生じるのを防ぐことができ、これにより確実に防水性を図ることができる。また、防水パッキン部１５は、上ケース１３の縁部に沿って連続して設けられた嵌合溝１６内に防水リング１８を配置し、この状態で上ケース１３の嵌合溝１６に下ケース１４の縁部に沿って連続して設けられた嵌合凸部１７を嵌合させて、防水リング１８を嵌合溝１６内に押え付けた構造であるから、より一層、確実に防水性を図ることができる。
【００２８】
また、ねじ止め部材２２は、ねじ２３とナット２４とからなり、ねじ２３を上側プロテクタ２０のねじ挿通孔２０ａから挿入し、上ケース１３および下ケース１４の各ねじ挿通孔１３ａ、１４ａを通して、下側プロテクタ２１のねじ挿通孔２１ａに設けられたナット２４に螺着しているので、上側プロテクタ２０と下側プロテクタ２１とで上ケース１３と下ケース１４を挟み付けて強固に固定することができる。
【００２９】
この場合、ねじ止め部材２２は、防水パッキン部１５よりも上下の各ケース１３、１４の各外部側に位置して設けられているので、このねじ止め部材２２でねじ止めされた部分を防水構造にしなくても、表示ケース１全体の防水性を確保することができ、これにより防水構造の簡素化を図ることができると共に、組み立て作業の簡素化をも図ることができる。
【００３０】
さらに、表示モジュール４は、緩衝部材２５によって上下の各ケース１３、１４内に配置され、これにより上下の各ケース１３、１４内に浮いた状態で配置されているので、落下などによる衝撃が上下の各プロテクタ２０、２１および上下の各ケース１３、１４に加わっても、その衝撃を緩衝部材２５によって吸収して表示モジュール４に伝わらないようにすることができる。このため、外部からの衝撃によって表示モジュール４が破損することがなく、確実に表示モジュール４を保護することができ、これにより耐衝撃性の高いものを得ることができる。
【００３１】
なお、上記実施形態では、ねじ止め部材２２がねじ２３とナット２４とを備えた構造であるが、これに限らず、例えば下側プロテクタ２１の各隅部にねじ２３が螺着するねじ孔を直接形成しても良い。このように構成しても、上述した実施形態と同様の作用効果があるほか、特に別部品としてのナット２４が不要になるため、部品点数を削減することができ、組み立て作業の更なる簡素化を図ることができる。
【００３２】
また、上記実施形態の防水パッキン部１５は、上ケース１３の縁部に沿って連続して設けられた嵌合溝１６内に防水リング１８を配置し、この状態で上ケース１３の嵌合溝１６に下ケース１４の縁部に沿って連続して設けられた嵌合凸部１７を嵌合させて、防水リング１８を嵌合溝１６内に押え付けた構造であるが、必ずしも防水リング１８を上ケース１３の嵌合溝１６内に配置する必要はなく、上ケース１３の嵌合溝１６に下ケース１４の嵌合凸部１７を密着させて嵌合させた構造でも良い。
【００３３】
また、上記実施形態では、表示ケース１について説明したが、これに限らず、入力ケース２も表示ケース１と同様に構成することが望ましい。
さらに、上記実施形態では、携帯電話機に適用した場合について述べたが、これに限らず、例えば電子辞書やＰＤＡ（パーソナル・デジタル・アシスタント）などの携帯型電子機器にも広く適用することができる。
【図面の簡単な説明】
【００３４】
【図１】この発明を適用した携帯電話機の外観斜視図である。
【図２】図１の表示ケースを分解した斜視図である。
【図３】図１のＡ−Ａ矢視における拡大断面図である。
【図４】図１のＢ−Ｂ矢視における拡大断面図である。
【符号の説明】
【００３５】
１  表示ケース
２  入力ケース
３  ヒンジ部
４  表示モジュール
５  回路基板
６  表示装置
９  キー入力部
１３  上ケース
１４  下ケース
１５  防水パッキン部
２０  上側プロテクタ
２１  下側プロテクタ
２２  ねじ止め部材
２３  ねじ
２４  ナット
２５  緩衝部材
【図１】
2005340683.tif 000003
【図２】
2005340683.tif 000004
【図３】
2005340683.tif 000005
【図４】
2005340683.tif 000006